(57)【要約】【課題】拝石に採光構造を設けることで、カロート（納骨室）内に外光を採り入れることができ、更に既存の墓石にも採光構造を有するように変えられる。【解決手段】戒名を刻む棹石５、名字を刻む上台４、中台３、土台となる芝台２からなる石搭と、骨壷、遺骨を納めるカロート（納骨室）６とで構成されている墓石１において、カロート５の開口部の一部を開閉自在に閉塞するように配置された、骨壷、遺骨を納める際に蓋石として機能する拝石７と、拝石７に貫通穴１３を開け、貫通穴１３に透光性部材１４が嵌め込まれた採光構造１２と、から成り、採光構造１２から外光をカロート６内に採り入れられるように構成された。【選択図】図４
2018131771.tif 000002
【特許請求の範囲】
【請求項１】
戒名を刻む棹石（５）、名字を刻む上台（４）、中台（３）、土台となる芝台（２）からなる石搭と、骨壷、遺骨を納めるカロート（６）とで構成されている墓石（１）において、
前記カロート（６）の開口部の一部を開閉自在に閉塞するように配置された、骨壷、遺骨を納める際に蓋石として機能する拝石（７）と、
前記拝石（７）に貫通穴（１３）を開け、該貫通穴（１３）に透光性部材（１４）が嵌め込まれた採光構造（１２）と、から成り、
前記採光構造（１２）から外光を前記カロート（６）内に採り入れられるように構成された、ことを特徴とする採光構造を有する墓石。
【請求項２】
戒名を刻む棹石（５）、名字を刻む上台（４）、中台（３）、土台となる芝台（２）からなる石搭と、骨壷、遺骨を納めるカロート（６）とで構成されている墓石（１）において、
前記カロート（６）の開口部の一部を開閉自在に閉塞するように配置された、骨壷、遺骨を納める際に蓋石として機能する拝石（７）と、
前記拝石（７）に貫通穴（１３）を開け、該貫通穴（１３）に縦型の採光部（１６ａ）と横型の出射部（１６ｂ）とから成る導光体（１６）が固定された採光構造（１２）と、から成り、
前記採光構造（１２）の導光体（１６）の採光部（１６ａ）から外光を採り入れ、その外光を前記出射部（１６ｂ）から前記カロート（６）内に出射されるように構成された、ことを特徴とする採光構造を有する墓石。
【請求項３】
前記採光構造（１２）は、前記透光性部材（１４）に図柄（１５）を表示した、ことを特徴とする請求項１の採光構造を有する墓石。
【請求項４】
前記採光構造（１２）は、導光体（１６）の採光部（１６ａ）に図柄（２４）を表示した、ことを特徴とする請求項２の採光構造を有する墓石。
【請求項５】
前記カロート（６）に、該カロート（６）の周壁に採光穴（２２）を開け、ここに透光性部材（２３）を嵌め込み固定した採光構造（２１）を設けた、ことを特徴とする請求項１，２，３又は４の採光構造を有する墓石。
【発明の詳細な説明】
【技術分野】
【０００１】
本発明は、墓のカロート（納骨室）内に太陽光などの外光を採り入れることができる墓石に係り、特に既存の墓石にも採光構造を設けることができる採光構造を有する墓石に関する。
【背景技術】
【０００２】
墓は、その中心となる石塔（棹石、上台、中台、芝台）と、遺骨を納めるカロート（納骨室）、墓地区画を囲む外柵の３つを基本として構成されている。その他に、付属品として、花立て、水鉢、香炉、拝石、塔婆立て、灯篭、墓誌などの様々な墓飾品が設置されている。墓の中心となる石塔（棹石、上台、中台、芝台）は、開眼供養の際、僧侶によって魂が入れられる墓石の中心となる石である。石塔の形には原則的に決まりはなく、この石塔と墓飾品の構成は、和型又は洋型で相違する。更に、日本の各地方毎に墓、石塔の形状が相違する。但し、墓地によっては墓、石塔の形状についてある程度の規制や統一をしている場合がある。本発明では主に石塔（棹石、上台、中台、芝台）、カロート（納骨室）及び拝石を墓石と称する。
【０００３】
和型の石塔は、棹石、上台、中台、芝台の４つで構成される場合と、芝台を省いた３つで構成される場合がある。また、地域の相違によっては、棹石と上台の間に蓮華を簡略化した形のスリンという石を用いることもある。棹石は、竿石、佛石、軸石などとも称され、表面には「お題目」、「先祖代々之墓」、「○○家之墓」などの文字が刻まれる。上台には蓮華模様や家紋・家名などが刻まれる。芝台は墓の土台となる石で、カロート（納骨室）の保護や香炉・花立ての置き台になることがある。
【０００４】
カロート（納骨室）は、遺骨（骨壷）が納められる墓の心臓部ともいえる場所である。カロートは石塔（棹石、上台、中台、芝台）の下に位置している。材質としては一般的にコンクリートで構成されているが、湿気を吸収する大谷石も使われている。カロートの大きさや形状は墓地自体の形や広さによって様々なものがある。
【０００５】
カロートは大きく分けると地上式・半地下式・地下式に分けられ、それぞれ一段型・二段以上型がある。和型墓地の場合は半地下式の二段型か三段型のカロートを設置するのが一般的である。比較的小さな墓地では「丘カロート」という、カロートと外柵を兼ねた地上式の一段カロートが多くなる。また、芝生墓地や壁墓地の場合は、墓地の形状からカロートは一段、または二段の地下式となる。
【０００６】
一般的なカロート（納骨室）は、外部から太陽光が入射されない状態にある。このカロート内は湿度が高く、またカビが生えやすい。そこで、カロート内に太陽光を採り込めるようにしたカロート、墓石に関する技術が種々されている。例えば特許文献１の特開２００１−１３２２７７号公報「採光窓部材付き納骨室を備えた墓石」のように、墓石の下方部の納骨室壁部に窓穴を１乃至複数箇所穿設し、該窓穴に外径部を嵌合するように形成した採光窓部材を嵌め込み装着して、納骨室内に採光してなる採光窓部材付き納骨室を備えた墓石が提案されている。
【先行技術文献】
【特許文献】
【０００７】
【特許文献１】特開２００１−１３２２７７号公報
【発明の概要】
【発明が解決しようとする課題】
【０００８】
しかし、特許文献１の「採光窓部材付き納骨室を備えた墓石」の構造では、地下式又は半地下式の構造のカロートでは、その周囲に採光窓部材を設けても採光することができない場合があるという問題を有している。
【０００９】
また、特許文献１のように納骨室壁部に取り付けた採光窓部材は長期間外気に曝されているために破損、又は劣化することがある。このような場合には十分に外光を採り入れることができないことがある。納骨室壁部は、墓石を構成する重要な部分であり、簡単に修理、交換ができないという問題を有している。
【００１０】
本発明の発明者は、墓を構成する拝石に採光構造を設けることに着目した。拝石は、墓の入口と石塔（墓石）を結ぶ通路になる敷石である。拝石は、カロート（納骨棺）の上に配置され、納骨の際にはこの拝石を上げて遺骨（骨壷）を納める。そこで、この拝石に採光構造を設けることにより、既存の墓石にも採光構造を容易に設けることができると考えた。
【００１１】
本発明は、かかる問題点を解決するために創案されたものである。すなわち、本発明の目的は、拝石に採光構造を設けることで、カロート（納骨室）内に外光を採り入れることができ、更に既存の墓石にも採光構造を有するように変えられる採光構造を有する墓石を提供することにある。
【課題を解決するための手段】
【００１２】
本発明は、戒名を刻む棹石（５）、名字を刻む上台（４）、中台（３）、土台となる芝台（２）からなる石搭と、骨壷、遺骨を納めるカロート（６）とで構成されている墓石（１）において、
前記カロート（６）の開口部の一部を開閉自在に閉塞するように配置された、骨壷、遺骨を納める際に蓋石として機能する拝石（７）と、
前記拝石（７）に貫通穴（１３）を開け、該貫通穴（１３）に透光性部材（１４）が嵌め込まれた採光構造（１２）と、から成り、
前記採光構造（１２）から外光を前記カロート（６）内に採り入れられるように構成された、ことを特徴とする。
【００１３】
また、本発明は、戒名を刻む棹石（５）、名字を刻む上台（４）、中台（３）、土台となる芝台（２）からなる石搭と、骨壷、遺骨を納めるカロート（６）とで構成されている墓石（１）において、
前記カロート（６）の開口部の一部を開閉自在に閉塞するように配置された、骨壷、遺骨を納める際に蓋石として機能する拝石（７）と、
前記拝石（７）に貫通穴（１３）を開け、該貫通穴（１４）に縦型の採光部（１６ａ）と横型の出射部（１６ｂ）とから成る導光体（１６）が固定された採光構造（１２）と、から成り、
前記採光構造（１２）の導光体（１６）の採光部（１６ａ）から外光を採り入れ、その外光を前記出射部（１６ｂ）から前記カロート（６）内に出射されるように構成された、ことを特徴とする。
【００１４】
前記採光構造（１２）は、前記透光性部材（１４）に図柄（１５）を表示することができる。
前記採光構造（１２）は、導光体（１６）の採光部（１６ａ）に図柄（２４）を表示することができる。
【００１５】
前記カロート（６）に、該カロート（６）の周壁に採光穴（２２）を開け、ここに透光性部材（２３）を嵌め込み固定した採光構造（２１）を設けることもできる。
【発明の効果】
【００１６】
本発明では、カロート（６）（納骨室）の蓋石として機能する拝石（７）に採光構造（１２）を設けたので、太陽光（外光）を広い範囲、奥深い所まで採り入れることができる。これによりカロート（６）（納骨室）を明るくすることで、除湿、除菌効果を高めることができる。遺骨になった故人に太陽光を届けることができ、参拝者との一体感を醸成することができる。
【００１７】
また、採光構造（１２）は拝石（７）に設けられた構成である。この拝石（７）は１枚の石材であるため、既存の墓、墓石（１）にこの拝石（７）のみを交換することができる。既存の墓石を簡単に採光構造（１２）を有する墓石（１）に変えることができる。
【００１８】
採光構造（１２）は拝石（７）の所望の位置に設けることができるため、拝石（７）の形状、拝石（７）とカロート（６）（納骨室）の形状に応じて、種々対応することができる。
【００１９】
拝石（７）の採光構造（１２）と共に、カロート（６）の壁面にも複数の採光構造（２１）を設けた墓石（１）では、太陽光（外光）をカロート（６）内の広い範囲、奥深い所まで満遍なく採り入れることができる。
【図面の簡単な説明】
【００２０】
【図１】実施例１の採光構造を有する墓石を示す斜視図である。
【図２】実施例１の採光構造を有する墓石を示す正面図である。
【図３】実施例１の採光構造を有する墓石を示す平面図である。
【図４】実施例１の採光構造を有する墓石を示すカロートの側断面図である。
【図５】採光構造を有する拝石を示し、（ａ）は拡大平面図、（ｂ）は拡大側断面図、（ｃ）は拡大底面図である。
【図６】採光構造の変形例１であり、採光構造の透光性部材に家紋などの図柄を表示した平面図である。
【図７】採光構造の変形例２の拝石を示し、（ａ）は平面図、（ｂ）は側断面図、（ｃ）は底面図である。
【図８】変形例２の導光体の他の形態を示す側断面図である。
【図９】導光体の変形例を示す側断面図である。
【図１０】実施例２の採光構造を有する墓石を示す側面図である。
【図１１】実施例２の採光構造を有する墓石を示す背面図である。
【図１２】実施例２の採光構造の変形例であり、採光構造の透光性部材に家紋などの図柄を表示した部分側面図である。
【発明を実施するための形態】
【００２１】
本発明は、戒名を刻む棹石、名字を刻む上台、中台、土台となる芝台からなる石搭と、骨壷、遺骨を納めるカロート（納骨室）とで構成されている墓石に、墓のカロート（納骨室）内に太陽光などの外光を採り入れることができる採光構造を設けたものである。
【実施例１】
【００２２】
以下、本発明の実施の形態を図面を参照して説明する。
＜墓石の構成＞
図１は実施例１の採光構造を有する墓石を示す斜視図である。図２は実施例１の採光構造を有する墓石を示す正面図である。図３は実施例１の採光構造を有する墓石を示す平面図である。
図１から図３に示すように、一般的な和型の墓石について説明する。墓石１は、下から土台となる芝台２、中台３、名字を刻む上台４、戒名を刻む棹石５により構成される。墓石１によっては芝台２を省略することがある。棹石５と上台４の間に蓮華を簡略化した形の「スリン」という石が用いられることもある。墓石１は、その格式、地域、宗派に応じて構成が異なる。本発明の採光構造は、和型の墓石に限定されず洋型の墓石にも実施することができる。
【００２３】
芝台２の下に位置されるカロート６（納骨室）は、骨壷、遺骨が納められる墓の心臓部ともいわれる重要な場所である。カロート６の材質としてはコンクリートや石などが用いられ、大きさや形状は骨壷、遺骨の埋蔵の方法によって変わる。因みに、関東地方では遺骨は骨壺に納めた状態で安置される。関西地方では骨壺から遺骨を出してカロート６に納められる。カロート６の底は遺骨を土に還すことを目的とする場合は土のままに、骨壷のまま納骨する場合は石が敷かれている。
更に、墓前に敷かれ、カロート６（納骨室）の蓋石ともなる拝石７がある。この拝石７は通常拝み石と称される。
【００２４】
墓石１の付属品としては、生花を立てる花立て８、水を入れる水鉢９、線香を立てる香炉１０、塔婆立て１１などがある。花立て８は現在ではステンレス製が普及している。香炉１０は線香を立てて供える立置型と、寝かせて供える「くりぬき型」がある。図１，２に示すものは「くりぬき型」である。水鉢９は芝台２に彫る「切り出しもの」と、別造りするものとがある。
【００２５】
＜採光構造を有する拝石の構成＞
図４は実施例１の採光構造を有する墓石を示すカロートの側断面図である。図５は採光構造を有する拝石を示し、（ａ）は拡大平面図、（ｂ）は拡大側断面図、（ｃ）は拡大底面図である。
関東型の墓では、図１から図３に示したように、拝石７の上に香炉１０を置くことがある。本発明の拝石７には、カロート６（納骨室）内に外光を採り入れる採光構造１２を有する。この採光構造１２は、拝石７の一部に上下方向に貫通穴１３を開け、この貫通穴１３に透光性部材１４を嵌め込んだものである。この透光性部材１４は、例えばガラス、ポリカーボネート樹脂又はアクリル樹脂などの耐久性の高い素材を用いる。
【００２６】
図５に示すように、拝石７に円形状の貫通穴１３を開け、ここに円板状又は円筒状の透光性部材１４を嵌め込む。本発明の採光構造を有する墓石１は、拝石７自体に採光構造１２を設けた。透光性部材１４は、拝石７の貫通穴１３の外壁面と面一になるようにして接着剤等で固定する。または、拝石７の貫通穴１３に薄いゴムシート等のクッション材を介在させて接着剤等で固定しても良い。
【００２７】
図示例では拝石７の上には香炉１０を配置しているので、採光構造１２の貫通穴１３を参拝者側にずらして開けている。勿論香炉１０を置かない場合は、貫通穴１３を所望の位置に開けることができる。また採光構造１２（貫通穴１３）の数は１か所に限定されず数か所設けることが可能である。またその位置も墓石１の形状、墓石１の付属品も配置に応じて決められる。
【００２８】
なお、透光性部材１４は円板状又は円筒形状に限定されず、四角形状、三角形状、六角形状、直方体形状、逆円錐台形状、逆角錐台形状と種々の形状にすることができる。特に逆円錐台形状、逆角錐台形状にすると長期間経過して貫通穴１３に塗布した接着剤が劣化した際にも透光性部材１４のズレや落下を防止することができる。
【００２９】
透光性部材１４は透明なものより、半透明なものが良い。透光性部材１４からカロート６内が覗けないようにするためである。透光性部材１４は図示するように太陽光を採り入ればよいので、大きくする必要はない。
【００３０】
なお、透光性部材１４は半透明なものに代えて模様を施したものでも良い。または、後述するように家紋を立体的に表示した構成でも良い。カロート６内が覗けないような構成であれば良い。透光性部材１４の素材全体が半透明なものでなくても、透光性部材１４のカロート６側に半透明なシートを貼着したものでも良い。
【００３１】
このように構成した拝石７の採光構造１２により、カロート６内に太陽光を採り入れることができる。これでカロート６内を明るくすることで、カロート６内を除湿、除菌、乾燥、保温を高め環境の良い衛生的な状態に維持することができる。また、カロート６内における遺骨になった故人に太陽光が射し込み、暖かな雰囲気を醸成することもできる。参拝に来た人にとっても安心して墓参りができるようになる。
【００３２】
＜採光構造の変形例１（家紋）＞
図６は採光構造の変形例１であり、採光構造の透光性部材に家紋などの図柄を表示した平面図である。
採光構造１２の透光性部材１４の外側（表面）には、家紋などの図柄１５を表示することができる。図示例では、図柄１５を透光性部材１４に線画で描画し、それ以外の部分は光が透るように構成した。この家紋の図柄１５は一例であって、それぞれの墓ごとに異なるものを表示できることは勿論である。
なお、図柄１５は透光性部材１４の外側（表面）に限定されず、透光性部材１４の内側（裏面）に表示することも可能である。
【００３３】
＜採光構造の変形例２（Ｌ字形状の導光体）＞
図７は採光構造の変形例２の拝石を示し、（ａ）は平面図、（ｂ）は側断面図、（ｃ）は底面図である。図８は変形例２の導光体の他の形態を示す側断面図である。
拝石７における採光構造１２の直下が、カロート６の開口部に配置されない場合がある。例えば、拝石７の上に香炉１０を配置すると、採光構造１２を拝石７の参拝者側に設ける必要がある。このような構成の採光構造１２では、カロート６の開口部の開口縁で一部が遮られる場合がある。このような構造の拝石７では、カロート６内に外光を十分に採り入れることができない。
【００３４】
変形例２の採光構造１２は、拝石７に貫通穴１３を設けるが、ここに上述した円板状又は円筒状の透光性部材１４のみを取り付けるのではない。図示するように、側方から視認したときに略Ｌ字形状になる導光体１６を取り付けた。この導光体１６は縦型部１６ａと水平部１６ｂとから成る。素材は上述した円板状又は円筒状等の透光性部材１４と同じガラス製、プラスチック製の材料から成る。  
【００３５】
縦型の採光部１６ａと横型の出射部１６ｂとの連結部は、それぞれ軸方向に対して４５度に傾斜した反射面部１６ｃを設けてもよい。このように構成すると、採光部１６ａから取り込んだ採光を効率よく出射部１６ｂへ導光し、出射部１６ｂからカロート６内に出射することができる。これでカロート６内に外光を十分に採り入れることができる。
【００３６】
＜採光構造の変形例３（Ｌ字形状の導光体）＞
図９は導光体の変形例を示す側断面図である。
変形例３の採光構造１２の略Ｌ字形状の導光体１６は、出射部１６ｂが拝石７の下面に出っ張った状態になる。これではカロート６の開口部に隙間なく敷くことができない。そこで、変形例３では、拝石７に採光部１６ａが嵌る貫通穴１３と共に、出射部１６ｂが嵌る溝部１７を形成した。この溝部１７に出射部１６ｂを嵌めることで、拝石７の下面に出っ張りが生じないようになる。
【実施例２】
【００３７】
図１０は実施例２の採光構造を有する墓石を示す側面図である。図１１は実施例２の採光構造を有する墓石を示す背面図である。
採光構造は必ずしも拝石７のみに設ける必要はない。カロート６の周囲が地中にないときは、このカロート６の周壁にも採光構造を設けることができる。実施例２の採光構造２１を有する墓石１は、カロート６の周壁に採光穴２２を開け、ここに透光性部材２３を嵌め込み固定した。実施例２の採光構造を有する墓石１は、その周囲に柵などが配置された構成に適している。図示例では、カロート６の側壁にそれぞれ２か所、カロート６の背面壁にも２か所設けたものを示しているが、この数に限定されない。また、採光穴２２の大きさ、取付位置も適宜変更することができる。
【００３８】
カロート６の周囲の採光構造２１により、カロート６内に太陽光を採り入れることができる。これでカロート６内を明るくすることで、カロート６内を除湿、除菌、乾燥、保温を高め環境の良い衛生的な状態に維持することができる。実施例２のように拝石７の採光構造１２と共に、カロート６の壁面にも複数の採光構造２１を設けた墓石１では、太陽光（外光）をカロート６内の広い範囲、奥深い所まで満遍なく採り入れることができる。
【００３９】
実施例１の採光構造１２と同様に、カロート６内における遺骨になった故人にまで、より明るい太陽光が射し込み、暖かな雰囲気を醸成することもできる。参拝に来た人にとっても安心して墓参りができるようになる。
【００４０】
＜実施例２の採光構造の変形例（家紋）＞
図１２は実施例２の採光構造の変形例であり、採光構造の透光性部材に家紋などの図柄を表示した部分側面図である。
実施例２の採光構造２１の透光性部材２３の外側（表面）には、家紋などの図柄２４を表示することができる。図示例では、図柄２４を透光性部材２３に線画で描画し、それ以外の部分は光が透るように構成した。この家紋の図柄２４は一例であって、それぞれの墓ごとに異なるものを表示できることは勿論である。
なお、図柄２４は透光性部材２３の外側（表面）に限定されず、透光性部材２３の内側（裏面）に表示することも可能である。
【００４１】
なお、本発明は、拝石７に採光構造１２、２１を設けることで、カロート６（納骨室）内に外光を採り入れることができ、更に既存の墓石１にも採光構造１２、２１を有するように変えることができれば、上述した発明の実施の形態に限定されず、本発明の要旨を逸脱しない範囲で種々変更できることは勿論である。
【産業上の利用可能性】
【００４２】
本発明は、石塔（棹石、上台、中台、芝台）と、遺骨を納めるカロート（納骨室）を有する墓（墓石）であれば、和型、洋型いずれの墓石にも利用することができる。
【符号の説明】
【００４３】
１  墓石
２  芝台
３  中台
４  上台
５  棹石
６  カロート（納骨室）
７  拝石
１３  貫通穴
１４  透光性部材
１５  図柄
１６  導光体
１６ａ  採光部
１６ｂ  出射部
２１  採光構造
２２  採光穴
２３  透光性部材
２４  図柄
【図１】
2018131771.tif 000003
【図２】
2018131771.tif 000004
【図３】
2018131771.tif 000005
【図４】
2018131771.tif 000006
【図５】
2018131771.tif 000007
【図６】
2018131771.tif 000008
【図７】
2018131771.tif 000009
【図８】
2018131771.tif 000010
【図９】
2018131771.tif 000011
【図１０】
2018131771.tif 000012
【図１１】
2018131771.tif 000013
【図１２】
2018131771.tif 000014
【手続補正書】
【提出日】平成29年5月15日(2017.5.15)
【手続補正１】
【補正対象書類名】明細書
【補正対象項目名】全文
【補正方法】変更
【補正の内容】
【発明の詳細な説明】
【技術分野】
【０００１】
本発明は、墓のカロート（納骨室）内に太陽光などの外光を採り入れることができる墓石に係り、特に既存の墓石にも採光構造を設けることができる採光構造を有する墓石に関する。
【背景技術】
【０００２】
墓は、その中心となる石塔（棹石、上台、中台、芝台）と、遺骨を納めるカロート（納骨室）、墓地区画を囲む外柵の３つを基本として構成されている。その他に、付属品として、花立て、水鉢、香炉、拝石、塔婆立て、灯篭、墓誌などの様々な墓飾品が設置されている。墓の中心となる石塔（棹石、上台、中台、芝台）は、開眼供養の際、僧侶によって魂が入れられる墓石の中心となる石である。石塔の形には原則的に決まりはなく、この石塔と墓飾品の構成は、和型又は洋型で相違する。更に、日本の各地方毎に墓、石塔の形状が相違する。但し、墓地によっては墓、石塔の形状についてある程度の規制や統一をしている場合がある。本発明では主に石塔（棹石、上台、中台、芝台）、カロート（納骨室）及び拝石を墓石と称する。
【０００３】
和型の石塔は、棹石、上台、中台、芝台の４つで構成される場合と、芝台を省いた３つで構成される場合がある。また、地域の相違によっては、棹石と上台の間に蓮華を簡略化した形のスリンという石を用いることもある。棹石は、竿石、佛石、軸石などとも称され、表面には「お題目」、「先祖代々之墓」、「○○家之墓」などの文字が刻まれる。上台には蓮華模様や家紋・家名などが刻まれる。芝台は墓の土台となる石で、カロート（納骨室）の保護や香炉・花立ての置き台になることがある。
【０００４】
カロート（納骨室）は、遺骨（骨壷）が納められる墓の心臓部ともいえる場所である。カロートは石塔（棹石、上台、中台、芝台）の下に位置している。材質としては一般的にコンクリートで構成されているが、湿気を吸収する大谷石も使われている。カロートの大きさや形状は墓地自体の形や広さによって様々なものがある。
【０００５】
カロートは大きく分けると地上式・半地下式・地下式に分けられ、それぞれ一段型・二段以上型がある。和型墓地の場合は半地下式の二段型か三段型のカロートを設置するのが一般的である。比較的小さな墓地では「丘カロート」という、カロートと外柵を兼ねた地上式の一段カロートが多くなる。また、芝生墓地や壁墓地の場合は、墓地の形状からカロートは一段、または二段の地下式となる。
【０００６】
一般的なカロート（納骨室）は、外部から太陽光が入射されない状態にある。このカロート内は湿度が高く、またカビが生えやすい。そこで、カロート内に太陽光を採り込めるようにしたカロート、墓石に関する技術が種々されている。例えば特許文献１の特開２００１−１３２２７７号公報「採光窓部材付き納骨室を備えた墓石」のように、墓石の下方部の納骨室壁部に窓穴を１乃至複数箇所穿設し、該窓穴に外径部を嵌合するように形成した採光窓部材を嵌め込み装着して、納骨室内に採光してなる採光窓部材付き納骨室を備えた墓石が提案されている。
【先行技術文献】
【特許文献】
【０００７】
【特許文献１】特開２００１−１３２２７７号公報
【発明の概要】
【発明が解決しようとする課題】
【０００８】
しかし、特許文献１の「採光窓部材付き納骨室を備えた墓石」の構造では、地下式又は半地下式の構造のカロートでは、その周囲に採光窓部材を設けても採光することができない場合があるという問題を有している。
【０００９】
また、特許文献１のように納骨室壁部に取り付けた採光窓部材は長期間外気に曝されているために破損、又は劣化することがある。このような場合には十分に外光を採り入れることができないことがある。納骨室壁部は、墓石を構成する重要な部分であり、簡単に修理、交換ができないという問題を有している。
【００１０】
本発明の発明者は、墓を構成する拝石に採光構造を設けることに着目した。拝石は、墓の入口と石塔（墓石）を結ぶ通路になる敷石である。拝石は、カロート（納骨棺）の上に配置され、納骨の際にはこの拝石を上げて遺骨（骨壷）を納める。そこで、この拝石に採光構造を設けることにより、既存の墓石にも採光構造を容易に設けることができると考えた。
【００１１】
本発明は、かかる問題点を解決するために創案されたものである。すなわち、本発明の目的は、拝石に採光構造を設けることで、カロート（納骨室）内に外光を採り入れることができ、更に既存の墓石にも採光構造を有するように変えられる採光構造を有する墓石を提供することにある。
【課題を解決するための手段】
【００１２】
本発明は、戒名を刻む棹石（５）、名字を刻む上台（４）、中台（３）、土台となる芝台（２）からなる石搭と、骨壷、遺骨を納めるカロート（６）とで構成されている墓石（１）において、
前記カロート（６）の開口部の一部を開閉自在に閉塞するように配置された、骨壷、遺骨を納める際に蓋石として機能する拝石（７）と、
前記拝石（７）に貫通穴（１３）を開け、該貫通穴（１４）に縦型の採光部（１６ａ）と横型の出射部（１６ｂ）とから成る導光体（１６）が固定された採光構造（１２）と、から成り、
前記採光構造（１２）の導光体（１６）の採光部（１６ａ）から外光を採り入れ、その外光を前記出射部（１６ｂ）から前記カロート（６）内に出射されるように構成された、ことを特徴とする。
【００１３】
前記採光構造（１２）は、導光体（１６）の採光部（１６ａ）に図柄（２４）を表示することができる。
前記カロート（６）に、該カロート（６）の周壁に採光穴（２２）を開け、ここに透光性部材（２３）を嵌め込み固定した採光構造（２１）を設けることもできる。
【発明の効果】
【００１４】
本発明では、カロート（６）（納骨室）の蓋石として機能する拝石（７）に採光構造（１２）を設けたので、太陽光（外光）を広い範囲、奥深い所まで採り入れることができる。これによりカロート（６）（納骨室）を明るくすることで、除湿、除菌効果を高めることができる。遺骨になった故人に太陽光を届けることができ、参拝者との一体感を醸成することができる。
【００１５】
また、採光構造（１２）は拝石（７）に設けられた構成である。この拝石（７）は１枚の石材であるため、既存の墓、墓石（１）にこの拝石（７）のみを交換することができる。既存の墓石を簡単に採光構造（１２）を有する墓石（１）に変えることができる。
【００１６】
採光構造（１２）は拝石（７）の所望の位置に設けることができるため、拝石（７）の形状、拝石（７）とカロート（６）（納骨室）の形状に応じて、種々対応することができる。
【００１７】
拝石（７）の採光構造（１２）と共に、カロート（６）の壁面にも複数の採光構造（２１）を設けた墓石（１）では、太陽光（外光）をカロート（６）内の広い範囲、奥深い所まで満遍なく採り入れることができる。
【図面の簡単な説明】
【００１８】
【図１】実施例１の採光構造を有する墓石を示す斜視図である。
【図２】実施例１の採光構造を有する墓石を示す正面図である。
【図３】実施例１の採光構造を有する墓石を示す平面図である。
【図４】実施例１の採光構造を有する墓石を示すカロートの側断面図である。
【図５】採光構造を有する拝石を示し、（ａ）は拡大平面図、（ｂ）は拡大側断面図、（ｃ）は拡大底面図である。
【図６】採光構造の変形例１であり、採光構造の透光性部材に家紋などの図柄を表示した平面図である。
【図７】採光構造の変形例２の拝石を示し、（ａ）は平面図、（ｂ）は側断面図、（ｃ）は底面図である。
【図８】変形例２の導光体の他の形態を示す側断面図である。
【図９】導光体の変形例を示す側断面図である。
【図１０】実施例２の採光構造を有する墓石を示す側面図である。
【図１１】実施例２の採光構造を有する墓石を示す背面図である。
【図１２】実施例２の採光構造の変形例であり、採光構造の透光性部材に家紋などの図柄を表示した部分側面図である。
【発明を実施するための形態】
【００１９】
本発明は、戒名を刻む棹石、名字を刻む上台、中台、土台となる芝台からなる石搭と、骨壷、遺骨を納めるカロート（納骨室）とで構成されている墓石に、墓のカロート（納骨室）内に太陽光などの外光を採り入れることができる採光構造を設けたものである。
【実施例１】
【００２０】
以下、本発明の実施の形態を図面を参照して説明する。
＜墓石の構成＞
図１は実施例１の採光構造を有する墓石を示す斜視図である。図２は実施例１の採光構造を有する墓石を示す正面図である。図３は実施例１の採光構造を有する墓石を示す平面図である。
図１から図３に示すように、一般的な和型の墓石について説明する。墓石１は、下から土台となる芝台２、中台３、名字を刻む上台４、戒名を刻む棹石５により構成される。墓石１によっては芝台２を省略することがある。棹石５と上台４の間に蓮華を簡略化した形の「スリン」という石が用いられることもある。墓石１は、その格式、地域、宗派に応じて構成が異なる。本発明の採光構造は、和型の墓石に限定されず洋型の墓石にも実施することができる。
【００２１】
芝台２の下に位置されるカロート６（納骨室）は、骨壷、遺骨が納められる墓の心臓部ともいわれる重要な場所である。カロート６の材質としてはコンクリートや石などが用いられ、大きさや形状は骨壷、遺骨の埋蔵の方法によって変わる。因みに、関東地方では遺骨は骨壺に納めた状態で安置される。関西地方では骨壺から遺骨を出してカロート６に納められる。カロート６の底は遺骨を土に還すことを目的とする場合は土のままに、骨壷のまま納骨する場合は石が敷かれている。
更に、墓前に敷かれ、カロート６（納骨室）の蓋石ともなる拝石７がある。この拝石７は通常拝み石と称される。
【００２２】
墓石１の付属品としては、生花を立てる花立て８、水を入れる水鉢９、線香を立てる香炉１０、塔婆立て１１などがある。花立て８は現在ではステンレス製が普及している。香炉１０は線香を立てて供える立置型と、寝かせて供える「くりぬき型」がある。図１、２に示すものは「くりぬき型」である。水鉢９は芝台２に彫る「切り出しもの」と、別造りするものとがある。
【００２３】
＜採光構造を有する拝石の構成＞
図４は実施例１の採光構造を有する墓石を示すカロートの側断面図である。図５は採光構造を有する拝石を示し、（ａ）は拡大平面図、（ｂ）は拡大側断面図、（ｃ）は拡大底面図である。
関東型の墓では、図１から図３に示したように、拝石７の上に香炉１０を置くことがある。本発明の拝石７には、カロート６（納骨室）内に外光を採り入れる採光構造１２を有する。この採光構造１２は、拝石７の一部に上下方向に貫通穴１３を開け、この貫通穴１３に透光性部材１４を嵌め込んだものである。この透光性部材１４は、例えばガラス、ポリカーボネート樹脂又はアクリル樹脂などの耐久性の高い素材を用いる。
【００２４】
図５に示すように、拝石７に円形状の貫通穴１３を開け、ここに円板状又は円筒状の透光性部材１４を嵌め込む。本発明の採光構造を有する墓石１は、拝石７自体に採光構造１２を設けた。透光性部材１４は、拝石７の貫通穴１３の外壁面と面一になるようにして接着剤等で固定する。または、拝石７の貫通穴１３に薄いゴムシート等のクッション材を介在させて接着剤等で固定しても良い。
【００２５】
図示例では拝石７の上には香炉１０を配置しているので、採光構造１２の貫通穴１３を参拝者側にずらして開けている。勿論香炉１０を置かない場合は、貫通穴１３を所望の位置に開けることができる。また採光構造１２（貫通穴１３）の数は１か所に限定されず数か所設けることが可能である。またその位置も墓石１の形状、墓石１の付属品も配置に応じて決められる。
【００２６】
なお、透光性部材１４は円板状又は円筒形状に限定されず、四角形状、三角形状、六角形状、直方体形状、逆円錐台形状、逆角錐台形状と種々の形状にすることができる。特に逆円錐台形状、逆角錐台形状にすると長期間経過して貫通穴１３に塗布した接着剤が劣化した際にも透光性部材１４のズレや落下を防止することができる。
【００２７】
透光性部材１４は透明なものより、半透明なものが良い。透光性部材１４からカロート６内が覗けないようにするためである。透光性部材１４は図示するように太陽光を採り入ればよいので、大きくする必要はない。
【００２８】
なお、透光性部材１４は半透明なものに代えて模様を施したものでも良い。または、後述するように家紋を立体的に表示した構成でも良い。カロート６内が覗けないような構成であれば良い。透光性部材１４の素材全体が半透明なものでなくても、透光性部材１４のカロート６側に半透明なシートを貼着したものでも良い。
【００２９】
このように構成した拝石７の採光構造１２により、カロート６内に太陽光を採り入れることができる。これでカロート６内を明るくすることで、カロート６内を除湿、除菌、乾燥、保温を高め環境の良い衛生的な状態に維持することができる。また、カロート６内における遺骨になった故人に太陽光が射し込み、暖かな雰囲気を醸成することもできる。参拝に来た人にとっても安心して墓参りができるようになる。
【００３０】
＜採光構造の変形例１（家紋）＞
図６は採光構造の変形例１であり、採光構造の透光性部材に家紋などの図柄を表示した平面図である。
採光構造１２の透光性部材１４の外側（表面）には、家紋などの図柄１５を表示することができる。図示例では、図柄１５を透光性部材１４に線画で描画し、それ以外の部分は光が透るように構成した。この家紋の図柄１５は一例であって、それぞれの墓ごとに異なるものを表示できることは勿論である。
なお、図柄１５は透光性部材１４の外側（表面）に限定されず、透光性部材１４の内側（裏面）に表示することも可能である。
【００３１】
＜採光構造の変形例２（Ｌ字形状の導光体）＞
図７は採光構造の変形例２の拝石を示し、（ａ）は平面図、（ｂ）は側断面図、（ｃ）は底面図である。図８は変形例２の導光体の他の形態を示す側断面図である。
拝石７における採光構造１２の直下が、カロート６の開口部に配置されない場合がある。例えば、拝石７の上に香炉１０を配置すると、採光構造１２を拝石７の参拝者側に設ける必要がある。このような構成の採光構造１２では、カロート６の開口部の開口縁で一部が遮られる場合がある。このような構造の拝石７では、カロート６内に外光を十分に採り入れることができない。
【００３２】
変形例２の採光構造１２は、拝石７に貫通穴１３を設けるが、ここに上述した円板状又は円筒状の透光性部材１４のみを取り付けるのではない。図示するように、側方から視認したときに略Ｌ字形状になる導光体１６を取り付けた。この導光体１６は縦型部１６ａと水平部１６ｂとから成る。素材は上述した円板状又は円筒状等の透光性部材１４と同じガラス製、プラスチック製の材料から成る。  
【００３３】
縦型の採光部１６ａと横型の出射部１６ｂとの連結部は、それぞれ軸方向に対して４５度に傾斜した反射面部１６ｃを設けてもよい。このように構成すると、採光部１６ａから取り込んだ採光を効率よく出射部１６ｂへ導光し、出射部１６ｂからカロート６内に出射することができる。これでカロート６内に外光を十分に採り入れることができる。
【００３４】
＜採光構造の変形例３（Ｌ字形状の導光体）＞
図９は導光体の変形例を示す側断面図である。
変形例３の採光構造１２の略Ｌ字形状の導光体１６は、出射部１６ｂが拝石７の下面に出っ張った状態になる。これではカロート６の開口部に隙間なく敷くことができない。そこで、変形例３では、拝石７に採光部１６ａが嵌る貫通穴１３と共に、出射部１６ｂが嵌る溝部１７を形成した。この溝部１７に出射部１６ｂを嵌めることで、拝石７の下面に出っ張りが生じないようになる。
【実施例２】
【００３５】
図１０は実施例２の採光構造を有する墓石を示す側面図である。図１１は実施例２の採光構造を有する墓石を示す背面図である。
採光構造は必ずしも拝石７のみに設ける必要はない。カロート６の周囲が地中にないときは、このカロート６の周壁にも採光構造を設けることができる。実施例２の採光構造２１を有する墓石１は、カロート６の周壁に採光穴２２を開け、ここに透光性部材２３を嵌め込み固定した。実施例２の採光構造を有する墓石１は、その周囲に柵などが配置された構成に適している。図示例では、カロート６の側壁にそれぞれ２か所、カロート６の背面壁にも２か所設けたものを示しているが、この数に限定されない。また、採光穴２２の大きさ、取付位置も適宜変更することができる。
【００３６】
カロート６の周囲の採光構造２１により、カロート６内に太陽光を採り入れることができる。これでカロート６内を明るくすることで、カロート６内を除湿、除菌、乾燥、保温を高め環境の良い衛生的な状態に維持することができる。実施例２のように拝石７の採光構造１２と共に、カロート６の壁面にも複数の採光構造２１を設けた墓石１では、太陽光（外光）をカロート６内の広い範囲、奥深い所まで満遍なく採り入れることができる。
【００３７】
実施例１の採光構造１２と同様に、カロート６内における遺骨になった故人にまで、より明るい太陽光が射し込み、暖かな雰囲気を醸成することもできる。参拝に来た人にとっても安心して墓参りができるようになる。
【００３８】
＜実施例２の採光構造の変形例（家紋）＞
図１２は実施例２の採光構造の変形例であり、採光構造の透光性部材に家紋などの図柄を表示した部分側面図である。
実施例２の採光構造２１の透光性部材２３の外側（表面）には、家紋などの図柄２４を表示することができる。図示例では、図柄２４を透光性部材２３に線画で描画し、それ以外の部分は光が透るように構成した。この家紋の図柄２４は一例であって、それぞれの墓ごとに異なるものを表示できることは勿論である。
なお、図柄２４は透光性部材２３の外側（表面）に限定されず、透光性部材２３の内側（裏面）に表示することも可能である。
【００３９】
なお、本発明は、拝石７に採光構造１２、２１を設けることで、カロート６（納骨室）内に外光を採り入れることができ、更に既存の墓石１にも採光構造１２、２１を有するように変えることができれば、上述した発明の実施の形態に限定されず、本発明の要旨を逸脱しない範囲で種々変更できることは勿論である。
【産業上の利用可能性】
【００４０】
本発明は、石塔（棹石、上台、中台、芝台）と、遺骨を納めるカロート（納骨室）を有する墓（墓石）であれば、和型、洋型いずれの墓石に利用することができる。
【符号の説明】
【００４１】
１  墓石
２  芝台
３  中台
４  上台
５  棹石
６  カロート（納骨室）
７  拝石
１３  貫通穴
１４  透光性部材
１５  図柄
１６  導光体
１６ａ  採光部
１６ｂ  出射部
２１  採光構造
２２  採光穴
２３  透光性部材
２４  図柄
【手続補正２】
【補正対象書類名】特許請求の範囲
【補正対象項目名】全文
【補正方法】変更
【補正の内容】
【特許請求の範囲】
【請求項１】
戒名を刻む棹石（５）、名字を刻む上台（４）、中台（３）、土台となる芝台（２）からなる石搭と、骨壷、遺骨を納めるカロート（６）とで構成されている墓石（１）において、
前記カロート（６）の開口部の一部を開閉自在に閉塞するように配置された、骨壷、遺骨を納める際に蓋石として機能する拝石（７）と、
前記拝石（７）に貫通穴（１３）を開け、該貫通穴（１３）に縦型の採光部（１６ａ）と横型の出射部（１６ｂ）とから成る導光体（１６）が固定された採光構造（１２）と、から成り、
前記採光構造（１２）の導光体（１６）の採光部（１６ａ）から外光を採り入れ、その外光を前記出射部（１６ｂ）から前記カロート（６）内に出射されるように構成された、ことを特徴とする採光構造を有する墓石。
【請求項２】
前記採光構造（１２）は、導光体（１６）の採光部（１６ａ）に図柄（２４）を表示した、ことを特徴とする請求項１の採光構造を有する墓石。
【請求項３】
前記カロート（６）に、該カロート（６）の周壁に採光穴（２２）を開け、ここに透光性部材（２３）を嵌め込み固定した採光構造（２１）を設けた、ことを特徴とする請求項１又は２の採光構造を有する墓石。